(57)【要約】【課題】機器固有データの送受信において、有線接続アクセスか又は無線接続アクセスかの選択を的確に行うことである。【解決手段】  機器に設けられる機器固有データ送受信モジュール７０は、接触端子７２と有線インタフェース７４とを含む有線接続側の入出力部と、アンテナ７６と無線インタフェース７８とを含む無線接続側の入出力部と、有線接続側及び無線接続側の双方とアクセス可能なデュアルポートメモリ８０と、そのアクセス選択を行う選択回路８２とを含んで構成される。デュアルポートメモリ８０は、有線接続アクセスにより機器固有データを保持する不揮発性メモリと交信でき、無線接続アクセスにより外部の無線送受信装置と交信できる。選択回路８２は、機器の電源ＯＮ／ＯＦＦ検出信号８４と、アンテナ７６の無線信号の検出信号８６とに基づき、有線接続アクセス又は無線接続アクセスを選択する。【選択図】図２
2005149391.tif 000002
【特許請求の範囲】
【請求項１】
機器に装着され、該機器の使用条件又は使用状況に関する機器固有データを外部の無線送受信装置との間で送受信する機器固有データ送受信システムであって、
前記機器の電源がＯＮのときに前記機器固有データの読み書きを行い、前記機器の電源がＯＦＦのときに前記機器固有データを保持する不揮発性メモリと、
接触端子を介して前記不揮発性メモリとの間で前記機器固有データを送受信し、またアンテナを介して前記外部の無線送受信装置との間で前記機器固有データを送受信する機器固有データモジュールと、
を備え、
前記機器固有データモジュールは、
前記接触端子による有線接続アクセスと、前記アンテナによる無線接続アクセスとが可能なデュアルポートメモリと、
前記デュアルポートメモリのアクセス選択を行う選択手段であって、前記機器の電源のＯＮ／ＯＦＦと前記アンテナからの受信信号の有無とに基づき、前記接触端子による有線接続アクセス又は前記アンテナによる無線接続アクセスを選択する選択手段と、
を有することを特徴とする機器固有データ送受信システム。
【請求項２】
請求項１に記載の機器固有データ送受信システムにおいて、
前記選択手段は、前記接触端子による有線接続アクセス中に前記アンテナからの無線信号が検出されたときに、前記接触端子による有線接続アクセスの終了後、前記アンテナによる無線接続アクセスに切り替えることを特徴とする機器固有データ送受信システム。
【請求項３】
請求項１記載の機器固有データ送受信システムにおいて、
前記選択手段は、前記アンテナによる無線接続アクセス中に前記機器の電源がＯＮされたときに、前記アンテナによる無線接続アクセスの終了後、前記接触端子による有線接続アクセスに切り替えることを特徴とする機器固有データ送受信システム。
【請求項４】
機器の本体に着脱可能な部品に装着され、着脱部の接触端子を介して前記機器の本体との間で前記機器の使用条件又は使用状況に関する機器固有データを送受信し、またアンテナを介して外部の無線送受信装置との間で前記機器固有データを送受信する機器固有データ送受信モジュールであって、
前記接触端子による有線接続アクセスと、前記アンテナによる無線接続アクセスとが可能なデュアルポートメモリと、
前記機器固有データ送受信モジュールが前記機器の本体と前記接触端子を介して接続されているときに、前記デュアルポートメモリのアクセス選択を行う選択手段であって、前記機器の電源のＯＮ／ＯＦＦと前記アンテナからの受信信号の有無とに基づき、前記接触端子による有線接続アクセス又は前記アンテナによる無線接続アクセスを選択する選択手段と、
を有することを特徴とする機器固有データ送受信モジュール。
【発明の詳細な説明】
【技術分野】
【０００１】
本発明は、機器固有データ送受信システム及び機器固有データ送受信モジュールに係り、特に、機器の使用条件又は使用状況に関する機器固有データを外部の無線送受信装置との間で送受信する機器固有データ送受信システム及び機器固有データ送受信モジュールに関する。
【背景技術】
【０００２】
画像処理装置のような機器又はその機器に着脱可能な消耗品等の部品について、その使用条件や使用状況に関する機器固有データのトレースを行うために、機器内に機器固有データを記憶するための不揮発性メモリ（Ｎｏｎ  Ｖｏｌａｔｉｌｅ  Ｍｅｍｏｒｙ：ＮＶＭ）が設けられる。また、不揮発性メモリに機器固有データを読み書きするには機器の電源をＯＮにする必要があることや、不揮発性メモリを搭載する回路基板が破損したときには機器固有データが読み出せなくなる等の不便を軽減するために、無線機能付きメモリモジュールを不揮発性モジュールと合わせて用いることが行われる。ここで、無線機能付きメモリモジュールとは、アンテナと無線インタフェースとメモリを含んで構成される回路モジュールで、アンテナ付きＲＦＩＤ（Ｒａｄｉｏ  Ｆｒｅｑｕｅｎｃｙ  Ｉｄｅｎｔｉｔｙ）チップ等と呼ばれることがある。
【０００３】
図６は、複写機２０を一例として、トナーカートリッジ５０にアンテナ付きＲＦＩＤチップ６０を取り付けた様子を示す図である。複写機２０は電源２２から電力が供給される制御基板３０を備え、制御基板３０にはＣＰＵ３２、機器固有データを保持する不揮発性メモリ３４、ＲＦＩＤ用ＡＳＩＣ３８を介したカプラー４０が搭載され、これらはシステムバス３６に相互に交信可能に接続される。カプラー４０は、アンテナを有する送受信回路で、トナーカートリッジ５０に取り付けられたアンテナ付きＲＦＩＤチップ６０との間を無線により交信することができる。このような構成により、複写機２０の電源がＯＮの状態において、複写機２０の使用条件やトナーカートリッジ５０の使用状況等の機器固有データを不揮発性メモリ３４にその都度書き込んで記憶することができ、また、カプラー４０とアンテナ付きＲＦＩＤチップ６０との間の無線送受信を用いてアンテナ付きＲＦＩＤチップ６０へ機器固有データを転送することができる。そして外部の無線送受信装置を用いてアンテナ付きＲＦＩＤチップ６０にアクセスすれば、複写機２０の電源２２がＯＦＦであっても、アンテナ付きＲＦＩＤチップ６０が保持している機器固有データを読み出すことができ、またそのデータを書き換えることもできる。
【０００４】
しかし、図６から明らかなように、複写機２０を使用しているときに、機器内部においてカプラー４０とアンテナ付きＲＦＩＤチップ６０との間で無線送受信を行うので、その無線信号による電波障害が生ずるおそれがある。場合により電波法の認可が必要なことがあり、特に世界市場を対象とする機器の場合には、各国の電波法規制をそれぞれ確認して対応をとる必要がでてくる。
【０００５】
これを避けるために、単に無線送受信機能を有するのみならず、有線によるデータ転送も可能ないわゆる有線・無線共用メモリ又は接触・非接触共用メモリを不揮発性メモリと合わせて用いることが考えられる。例えば、機器の作動中は有線接続により不揮発性メモリと有線・無線共用メモリとの間で機器固有データの交信を行い、機器が梱包等で電源の供給がなされないときは無線接続により有線・無線共用メモリと外部の無線送受信装置との間で機器固有データの交信を行うようにすれば、機器内部での電波の発生がない。
【０００６】
これに関し、特許文献１には、非接触式ＩＣカードにおいて接触式コンタクトピンを設け、接触／非接触共用化を図ることが開示されている。また、特許文献２には、接触式及び非接触式インタフェースを有する複合ＩＣカード及び複合ＩＣカード用ＩＣモジュールが開示され、接触式インタフェースにより駆動されているときは非接触式インタフェースによる動作を禁止し、非接触式インタフェースにより駆動されているときは接触式インタフェースによる動作を禁止する技術が述べられている。
【０００７】
【特許文献１】特開平１０−１０５６６９号公報
【特許文献２】特開平１１−２７２８２２号公報
【発明の開示】
【発明が解決しようとする課題】
【０００８】
有線・無線共用メモリを不揮発性メモリと合わせて用いるときは、有線接続による不揮発性メモリとの間のアクセスと、無線接続による外部送受信装置との間のアクセスとが可能である。したがって、これら２方向のアクセスを的確に選択し、最新の機器固有データが有線・無線共用メモリ及び不揮発性メモリに保持されるようにする必要がある。
【０００９】
これに対し、特許文献１は、単に非接触式ＩＣカードにおいて接触式コンタクトピンを設けることを述べているだけである。また、特許文献２においては、ＩＣカードにおける例外的な事故を防止するために、接触式インタフェース又は非接触式インタフェースの一方が動作するときに他方の動作を禁止しているにすぎない。
【００１０】
このように従来技術では、有線・無線共用メモリを不揮発性メモリと合わせて用いるときに必要な２方向のアクセスの選択について、これを的確に行うには不十分である。
【００１１】
本発明の目的は、かかる従来技術の課題を解決し、有線接続と無線接続の２方向のアクセスについてその選択を的確に行うことができる機器固有データ送受信システム及び機器固有データ送受信モジュールを提供することである。
【課題を解決するための手段】
【００１２】
上記目的を達成するため、本発明に係る機器固有データ送受信システムは、機器に装着され、該機器の使用条件又は使用状況に関する機器固有データを外部の無線送受信装置との間で送受信する機器固有データ送受信システムであって、前記機器の電源がＯＮのときに前記機器固有データの読み書きを行い、前記機器の電源がＯＦＦのときに前記機器固有データを保持する不揮発性メモリと、接触端子を介して前記不揮発性メモリとの間で前記機器固有データを送受信し、またアンテナを介して前記外部の無線送受信装置との間で前記機器固有データを送受信する機器固有データモジュールと、を備え、前記機器固有データモジュールは、前記接触端子による有線接続アクセスと、前記アンテナによる無線接続アクセスとが可能なデュアルポートメモリと、前記デュアルポートメモリのアクセス選択を行う選択手段であって、前記機器の電源のＯＮ／ＯＦＦと前記アンテナからの受信信号の有無とに基づき、前記接触端子による有線接続アクセス又は前記アンテナによる無線接続アクセスを選択する選択手段と、を有することを特徴とする。
【００１３】
また、前記選択手段は、前記接触端子による有線接続アクセス中に前記アンテナからの無線信号が検出されたときに、前記接触端子による有線接続アクセスの終了後、前記アンテナによる無線接続アクセスに切り替えることが好ましい。
【００１４】
また、前記選択手段は、前記アンテナによる無線接続アクセス中に前記機器の電源がＯＮされたときに、前記アンテナによる無線接続アクセスの終了後、前記接触端子による有線接続アクセスに切り替えることが好ましい。
【００１５】
また、本発明に係る機器固有データ送受信モジュールは、機器の本体に着脱可能な部品に装着され、着脱部の接触端子を介して前記機器の本体との間で前記機器の使用条件又は使用状況に関する機器固有データを送受信し、またアンテナを介して外部の無線送受信装置との間で前記機器固有データを送受信する機器固有データ送受信モジュールであって、前記接触端子による有線接続アクセスと、前記アンテナによる無線接続アクセスとが可能なデュアルポートメモリと、前記機器固有データ送受信モジュールが前記機器の本体と前記接触端子を介して接続されているときに、前記デュアルポートメモリのアクセス選択を行う選択手段であって、前記機器の電源のＯＮ／ＯＦＦと前記アンテナからの受信信号の有無とに基づき、前記接触端子による有線接続アクセス又は前記アンテナによる無線接続アクセスを選択する選択手段と、を有することを特徴とする。
【発明の効果】
【００１６】
上記構成の少なくとも１つにより、機器固有データ送受信システムは、機器固有データを保持する不揮発性メモリと、接触端子を介して不揮発性メモリとの間で機器固有データを送受信し、またアンテナを介して外部の無線送受信装置との間で機器固有データを送受信する機器固有データモジュールと、を備える。そして、機器固有データモジュールは、接触端子による有線接続アクセスと、アンテナによる無線接続アクセスとの２方向のアクセスが可能なデュアルポートメモリを有する。デュアルポートメモリのアクセス選択は、機器の電源のＯＮ／ＯＦＦとアンテナからの受信信号の有無とに基づいて行われる。すなわち、デュアルポートメモリに対して有線接続アクセスがあるのは必ず機器の電源がＯＮされてからであり、無線接続アクセスがあるのは必ずアンテナからの受信信号を受け取ったときである。そこで機器の電源のＯＮ／ＯＦＦとアンテナからの受信信号の有無とを監視し、それに基づくことで、有線接続と無線接続の２方向のアクセスについてその選択を的確に行うことができる。例えば、デュアルポートメモリ及び不揮発性メモリに対し最新のアクセスに基づいて機器固有データを読み書きできる。
【００１７】
また、上記構成の少なくとも１つにより、有線接続アクセス中にアンテナからの無線信号が検出されたときには、有線接続アクセスが終了次第、直ちに無線接続アクセスに切り替える。また、無線接続アクセス中に機器の電源がＯＮされたときには、無線接続アクセスが終了次第、直ちに有線接続アクセスに切り替える。したがって、有線接続と無線接続の２方向のアクセスについてその選択を的確に行うことができる。例えば、デュアルポートメモリ及び不揮発性メモリに対し最新のアクセスに基づいて機器固有データを読み書きできる。
【００１８】
また、上記構成の少なくとも１つにより、接触端子による有線接続アクセスとアンテナによる無線接続アクセスとが可能なデュアルポートメモリを有する機器固有データ送受信モジュールが、機器の本体に着脱可能な部品に装着される。そして、機器固有データモジュールが機器の本体と接触端子を介して接続されているときにデュアルポートメモリの送受信選択が行われる。つまり、部品が機器本体から分離されたときは、デュアルポートメモリはアンテナによる無線接続アクセスしか起こらず、アクセスの選択を行う必要がないが、部品が機器に取り付けられているときは、機器の電源のＯＮ／ＯＦＦとアンテナからの受信信号の有無とに基づいてアクセスの選択が行われる。デュアルポートメモリに対して有線接続アクセスがあるのは必ず機器の電源がＯＮされてからであり、無線接続アクセスがあるのは必ずアンテナからの受信信号を受け取ったときである。そこで機器の電源のＯＮ／ＯＦＦとアンテナからの受信信号の有無とを監視し、それに基づくことで、有線接続と無線接続の２方向のアクセスについてその選択を的確に行うことができる。例えば、デュアルポートメモリ及び不揮発性メモリに対し最新のアクセスに基づいて機器固有データを読み書きできる。
【発明を実施するための最良の形態】
【００１９】
以下に図面を用いて本発明に係る実施の形態につき詳細に説明する。以下において、本発明に係る機器固有データ送受信システムが適用される機器を複写機として説明するが、複写機以外の画像処理装置、例えばプリンタ、ファクシミリ装置等でもよい。また、画像処理装置以外でも、機器固有データを記憶する不揮発性メモリを有する制御機器であってもよい。
【実施例１】
【００２０】
図１は、機器固有データ送受信システム１０を装着する複写機２０を示す図である。複写機２０は電源２２と、制御基板３０と、機器固有データ送受信モジュール７０とを含む。制御基板３０には、ＣＰＵ３２と、機器固有データを記憶する不揮発性メモリ３４と、非同期シリアル通信回路（ＵＡＲＴ）４２とが設けられ、これらはシステムバス３６により相互に接続される。ＵＡＲＴ４２と機器固有データ送受信モジュール７０とは着脱可能な着脱部コネクタ４４により有線接続される。ここで、不揮発性メモリ３４、システムバス３６、ＵＡＲＴ４２、着脱部コネクタ４４、機器固有データ送受信モジュール７０とが機器固有データ送受信システム１０を構成する。なお、複写機２０にはこの他に複写機能のための各要素が搭載されるが、図１においてはこれらの図示を省略する。
【００２１】
不揮発性メモリ３４は、機器固有データを記憶するメモリで、複写機２０の電源２２がＯＮのときにデータ読み書きができ、電源２２がＯＦＦになっても書き込まれたデータを失う（揮発させる）ことなく保持することができるメモリである。不揮発性メモリ３４としては、例えば、ＥＥＰＲＯＭ（Ｅｌｅｃｔｒｉｃａｌ  Ｅｒａｓａｂｌｅ  Ｐｒｏｇｒａｍａｂｌｅ  Ｒｅａｄ  Ｏｎｌｙ  Ｍｅｍｏｒｙ）等の半導体メモリを用いることができる。上記のように、不揮発性メモリ３４はシステムバス３６とＵＡＲＴ４２と着脱部コネクタ４４を介し機器固有データ送受信モジュール７０と接続される。したがって、電源２２がＯＮしている状態において、不揮発性メモリ３４は、有線接続により機器固有データ送受信モジュール７０と交信を行うことができる。
【００２２】
図１においてメモリリーダーライター１００は、機器固有データ送受信モジュール７０との間で機器固有データの無線交信を行う機能を有する無線送受信装置である。メモリリーダーライター１００は、アンテナと、アナログ／ディジタル変換回路（Ａｎａｌｏｇ／ｄｉｇｉｔａｌ  ｃｏｎｖｅｒｔｅｒ：Ａ／Ｄ）と、これに接続されるデータ処理装置を含む。かかるメモリリーダーライター１００は、例えば、メンテナンスのために、機器固有データの収集、設定、変更等を行いやすくしたＲＦＩＤ汎用リーダーライター等を用いることができるほか、一般的な送受信回路とＡ／Ｄ変換回路とパーソナルコンピュータ（Ｐｅｒｓｏｎａｌ  Ｃｏｍｐｕｔｅｒ：ＰＣ）等を組み合わせたものを用いることができる。
【００２３】
機器固有データ送受信モジュール７０は、着脱部コネクタ４４に適合する接触端子と、アンテナと、機器固有データを保持するメモリとを含む回路モジュールで、接触端子を介して不揮発性メモリ３４との間で機器固有データを送受信し、またアンテナを介して外部のメモリリーダーライター１００との間で機器固有データを送受信する機能を有する。図２に機器固有データ送受信モジュール７０のより詳細なブロック図を示す。なお、以下の説明においても図１に示した符号を用いる。
【００２４】
機器固有データ送受信モジュール７０は、接触端子７２と有線インタフェース７４とを含む有線接続側の入出力部と、アンテナ７６と無線インタフェース７８とを含む無線接続側の入出力部と、有線接続側及び無線接続側の双方とアクセス可能で機器固有データを保持するデュアルポートメモリ８０と、デュアルポートメモリ８０のアクセス選択を行う選択回路とを含んで構成される。
【００２５】
接触端子７２は、着脱部コネクタ４４の接続端子と電気的に接続される機能を有する有線接続端子で、例えば回路基板上にして配置される電極パターン又は接続ピン等で構成することができる。接触端子７２は有線インタフェース７４と接続される。有線インタフェース７４は、不揮発性メモリ３４とデュアルポートメモリ８０との間で入出力信号の整合を図るための入出力回路である。なお、有線接続において複写機２０の電源２２から電力が供給されるが、この電源ＯＮ／ＯＦＦの検出信号８４も有線インタフェース７４より出力され、選択回路８２に供給される。この検出信号８４は、例えば、有線接続による電力供給を検出したときＨレベル、電力供給が検出されないときをＬレベルとして出力することができる。
【００２６】
アンテナ７６は、外部のメモリリーダーライター１００から電波を受取り、またメモリリーダーライター１００に対し電波を送波する機能を有するもので、複数回巻回された導体等で構成することができる。無線インタフェース７８は、デュアルポートメモリ８０のデータと無線信号との間の変換を行い、またアンテナ７６により受信された無線信号を用いてこれを機器固有データ送受信モジュール７０の作動電圧として供給する機能を有する回路で、受信手段、送信手段、電源生成手段、復調手段、変調手段等を含む。なお、アンテナ７６において無線信号を受取ったことを検出する検出信号８６も無線インタフェース７８より出力され、選択回路８２に供給される。この検出信号８６は、例えば、無線接続による作動電圧を検出したときＨレベル、作動電圧が検出されないときをＬレベルとして出力することができる。
【００２７】
デュアルポートメモリ８０は、接触端子７２による有線接続アクセスと、アンテナ７６による無線接続アクセスとが可能なメモリで、例えば、ＥＥＰＲＯＭ等の半導体メモリを用いることができる。
【００２８】
選択回路８２は、デュアルポートメモリ８０のアクセス選択を行う機能を有する回路である。具体的には、複写機２０の電源ＯＮ／ＯＦＦの検出信号８４と、アンテナ７６において無線信号を受取ったことを検出する検出信号８６とに基づき、接触端子７２による有線接続アクセスを選択するか、あるいはアンテナ７６による無線接続アクセスを選択するかを決定する機能を有する。この選択は、機器固有データを有効に活用できることを基準にすることができる。例えば、不揮発性メモリ３４とデュアルポートメモリ８０において、常に最新のアクセスを反映した機器固有データが保持されるように選択を行う。
【００２９】
アクセス選択は次のように行われる。最初に電源ＯＮ／ＯＦＦの検出信号８４がＬレベルで、無線信号の検出信号８６がＬレベルのときは、有線接続アクセス及び無線接続アクセスはいずれも待機状態とする。待機状態から検出信号８４がＨレベルとなり有線接続での電力供給が検出されると、有線接続アクセスを選択する。また、待機状態から検出信号８６がＨレベルとなり無線接続の作動電圧が検出されると、無線接続アクセスを選択する。このようにすることで、待機状態から最先のアクセスを優先することができ、不揮発性メモリ３４とデュアルポートメモリ８０には、最新のアクセスを反映した機器固有データが保持されることになる。
【００３０】
待機状態でないときに有線接続アクセスと無線接続アクセスが重なるときの選択について図３と図４とを用いて説明する。これらの図では、（ａ）検出信号８４、すなわち電源２２のＯＮ／ＯＦＦ、（ｂ）検出信号８６、すなわち無線信号の有無、（ｃ）有線接続アクセス、（ｄ）無線接続アクセスについてそれぞれの状態変化を横軸に時間軸を共通にして示してある。有線接続アクセスと無線接続アクセスの状態については、そのアクセスが選択されているときをＨレベル、選択されていず待機状態にあるときをＬレベルとした。
【００３１】
図３は、接触端子による有線接続アクセス中に、Ａ点においてアンテナからの無線信号が検出された場合を示す。この場合は、Ａ点において無線接続アクセスは待機のままとし、有線接続アクセスが終了したＢ点を待ってから無線接続アクセスに切替える。
【００３２】
図４は、アンテナによる無線接続アクセス中に、Ｃ点において複写機２０の電源２２がＯＮされた場合を示す。この場合は、Ｃ点において有線接続アクセスは待機のままとし、無線接続アクセスが終了したＤ点を待ってから有線接続アクセスに切替える。
【００３３】
このように、交信中のデータ転送が終了するのを待って直ちにアクセスを切替えることで、現在のアクセスを優先し、次いで待機状態の次のアクセスを行うことができる。したがって、不揮発性メモリ３４とデュアルポートメモリ８０には、常に最新のアクセスを反映した機器固有データが保持されることになる。
【００３４】
かかるデュアルポートメモリ８０や選択回路８２等を含む機器固有データ送受信モジュール７０は、全体を単一のカスタムＬＳＩで得ることができる。また、これを複数の半導体チップで構成してもよく、また小型の回路基板上に複数の電子部品を配置しこれを１つのモジュールとしてもよい。
【００３５】
上記のように、機器固有データ送受信モジュールのメモリをデュアルポートメモリとして用い、選択回路によりデュアルポートメモリのアクセス選択を行うので、機器の電源がＯＮのときに機器内で電波を発生しない。また、機器の電源がＯＦＦのときにもアンテナにより外部の無線送受信装置との間で機器固有データの読み書きが可能になる。この機能を用いることで、例えば仕向け地の倉庫又は工場においてユーザ仕様にあわせた複写速度等の機器固有データの変更が機器の梱包を開梱することなく行うことができる。また、デュアルポートメモリの容量を適当に設定することで、不揮発性メモリに保持される機器固有データの相当の部分をデュアルポートメモリに転送でき、例えば、制御基板の交換履歴や機器コンフィギュレーション等の各種情報についても外部の無線送受信装置により読み書きすることができる。また、不揮発性メモリを搭載する制御基板等が破損しても、機器固有データ送受信モジュールから最後の機器固有データを容易に読み出すことができる。
【実施例２】
【００３６】
図２で説明した機器固有データ送受信モジュール７０を、機器本体に着脱可能な部品に装着することもできる。図５は、複写機２０の本体と着脱可能な部品としてトナーカートリッジ５０を取上げ、このトナーカートリッジ５０に機器固有データ送受信モジュール７０が設けられる様子を示す。図１と共通の要素には同一の符号を付し、詳細な説明を省略する。
【００３７】
複写機２０の本体とトナーカートリッジ５０とは、着脱部コネクタ４４によって着脱可能である。すなわち、トナーカートリッジ５０が複写機２０の本体に接続されるときは、トナーカートリッジ５０に設けられた機器固有データ送受信モジュール７０と制御基板３０とが着脱部コネクタ４４において有線接続される。そして、トナーカートリッジ５０を複写機２０の本体から取外すときには、着脱部コネクタ４４において機器固有データ送受信モジュール７０と制御基板３０との間の接続が解除される。
【００３８】
したがって、トナーカートリッジ５０が複写機２０の本体に接続されるときにおける機器固有データ送受信モジュール７０の作用は、図１から図４で説明したと同様である。すなわち、機器固有データ送受信モジュール７０のデュアルポートメモリ８０について、複写機２０電源２２のＯＮ／ＯＦＦとアンテナ７６からの受信信号の有無とに基づいてアクセスの選択が行われる。したがって、図２から図４で説明したように、有線接続と無線接続の２方向のアクセスについてその選択を的確に行うことができる。例えば、デュアルポートメモリ及び不揮発性メモリに対し最新のアクセスに基づいて機器固有データを読み書きできる。
【００３９】
トナーカートリッジ５０を複写機２０の本体から分離したときの様子も図５に示す矢印の先に示した。このときは、外部のメモリリーダーライター１００との間で機器固有データの読み書きを行うことができる。デュアルポートメモリはアンテナによる無線接続アクセスしか起こらず、アクセスの選択を行う必要がない。
【００４０】
このように、機器固有データ送受信モジュールを機器に着脱可能な部品に取り付けることで、部品の検査工程や出荷時において、機器から電源を供給することなく外部の無線送受信システムからデュアルポートメモリにアクセスし、機器固有データの読み書きができるので、検査・出荷工数を低減することが可能となる。また、その部品が目的とする機器に適合するものかどうかについても、デュアルポートメモリにアクセスして機器固有データを読み出すことで容易に判別できる。
【００４１】
なお、機器固有データ送受信モジュールが設けられるのは、トナーカートリッジ以外の機器本体と着脱可能な部品、例えばインクジェットカートリッジ、リボンカートリッジ、感光ドラム等の消耗部品であってもよく、機器によって仕様が異なる部品、例えば制御基板等であってもよい。
【図面の簡単な説明】
【００４２】
【図１】本発明に係る実施の形態の機器固有データ送受信システムを装着する複写機の様子を示す図である。
【図２】本発明に係る実施の形態における機器固有データ送受信モジュールのブロック図である。
【図３】本発明に係る実施の形態において、アクセス選択の一例を示す図である。
【図４】本発明に係る実施の形態において、アクセス選択の他の例を示す図である。
【図５】本発明に係る実施の形態において、複写機の本体と着脱可能な部品に機器固有データ送受信モジュールが設けられる様子を示す図である。
【図６】従来技術において、複写機のトナーカートリッジにアンテナ付きＲＦＩＤチップを取り付けた様子を示す図である。
【符号の説明】
【００４３】
１０  機器固有データ送受信システム、２０  複写機、２２  電源、３０  制御基板、３４  不揮発性メモリ、３６  システムバス、４２  ＵＡＲＴ、４４  着脱部コネクタ、５０  トナーカートリッジ、６０  ＲＦＩＤチップ、７０  機器固有データ送受信モジュール、７２  接触端子、７４  有線インタフェース、７６  アンテナ、７８  無線インタフェース、８０  デュアルポートメモリ、８２  選択回路、８４  電源ＯＮ／ＯＦＦ検出信号、８６  無線信号の検出信号、１００  メモリリーダーライター。
【図１】
2005149391.tif 000003
【図２】
2005149391.tif 000004
【図３】
2005149391.tif 000005
【図４】
2005149391.tif 000006
【図５】
2005149391.tif 000007
【図６】
2005149391.tif 000008